(57)【要約】      （修正有）【課題】同じロケーションにある複数のモニタを精度良くグルーピングすることができる管理装置などを提供する。【解決手段】サーバー１０は、複数のモニタが接続され、複数のモニタの情報を管理する管理装置であって、第１モニタＡの画面を所定の点滅パターンで点滅させる信号を送信し、第２モニタＢに対応する照度センサが点滅パターンを検出したことを示す信号を受信したときに、第１モニタＡと第２モニタＢとを同一グループに設定する。【選択図】図２
2020120312.tif 000002
【特許請求の範囲】
【請求項１】
複数のモニタが接続され、前記複数のモニタの情報を管理する管理装置であって、
第１モニタの画面を所定の点滅パターンで点滅させる信号を送信し、第２モニタに対応する照度センサが前記点滅パターンを検出したことを示す信号を受信したときに、前記第１モニタと前記第２モニタとを同一グループに設定する、
管理装置。
【請求項２】
他のモニタが予め前記第１モニタ又は前記第２モニタと同じグループである場合、前記他のモニタも前記同一グループに設定する、
請求項１記載の管理装置。
【請求項３】
第３モニタに対応する照度センサが前記点滅パターンを検出したことを示す信号を受信しないときに、前記第３モニタの画面を前記所定の点滅パターンで点滅させる信号を送信する、
請求項１又は請求項２記載の管理装置。
【請求項４】
前記同一グループに属すると判断したモニタの画面を前記所定の点滅パターンで同時に点滅させる信号を送信する、
請求項１又は請求項２記載の管理装置。
【請求項５】
請求項１乃至請求項４のいずれか１項記載の管理装置と、前記複数のモニタとを備える管理システム。
【請求項６】
前記モニタは、前記所定の点滅パターンで点滅させる信号を受信したときにバックライトレベルを上げる、
請求項５記載の管理システム。
【請求項７】
複数のモニタの情報を管理する管理方法であって、
第１モニタの画面を所定の点滅パターンで点滅させる信号を送信するステップと、
第２モニタに対応する照度センサが前記点滅パターンを検出したことを示す信号を受信したときに、前記第１モニタと前記第２モニタとを同一グループに設定するステップと
を有する管理方法。
【請求項８】
複数のモニタの情報をコンピュータに管理させるための管理プログラムであって、
前記コンピュータに、
第１モニタの画面を所定の点滅パターンで点滅させる信号を送信する手順と、
第２モニタに対応する照度センサが前記点滅パターンを検出したことを示す信号を受信したときに、前記第１モニタと前記第２モニタとを同一グループに設定する手順と
を実行させる管理プログラム。
【発明の詳細な説明】
【技術分野】
【０００１】
本発明は、管理装置、管理システム、管理方法及び管理プログラムに関する。
【背景技術】
【０００２】
複数の情報機器を有線、無線などのネットワークを介して接続して管理するときに、それらの情報機器が同じ部屋にあるものか、別々の部屋にあるものかなど、情報機器のロケーションを管理することがある。
【０００３】
例えば、医用画像の読影のための医用モニタについてその精度をサーバーなどで一元的に管理するときに、当該モニタをロケーション（部屋、設置場所）単位でグルーピングして管理することが多い。また、多くの医用モニタには、読影を行う環境の照度を管理したり、照度に応じた校正を行ったりするために、周囲の明るさを検知するための周囲光センサが装備されていることが多い。
【０００４】
このとき、同じロケーションに設置されている医用モニタは、同一のパーソナルコンピュータ（ＰＣ）に接続されているとは限らず、異なるＰＣに接続された医用モニタが各々独立して同一の場所に設置されている場合もある。個々の医用モニタが、ＰＣ、ネットワークを介して電気的に接続されている場合は、設定を適切に行えば相互に通信を行うことが可能であるが、各々が同一の場所に設置されていることを正確に識別することは難しい。
【０００５】
例えば、同一のセグメントに属するネットワークに接続されている医用モニタ同士は、同一の組織内に設置されている可能性が高いが、物理的に近隣の場所に設置されているかどうかは、上記の情報では的確に識別することはできない、なぜならば、複数のロケーションで、同一のネットワークセグメントを共用する場合があるからである。
【０００６】
そこで、例えば、特許文献１には、機器管理システムにおいて、２台のモニタが、当該２台のモニタに電力を供給するＡＣ電源の周波数より高い周波数の照度変化の所定時間以上の光をそれぞれ検出した場合に、当該２台のモニタを同じグループに属すると判定することが記載されている。
【先行技術文献】
【特許文献】
【０００７】
【特許文献１】特開２０１１−１１４８０８号公報
【発明の概要】
【発明が解決しようとする課題】
【０００８】
しかしながら、特許文献１記載の発明は、照明光の照度変化を用いて２台のモニタのグルーピングを行っており、２台のモニタが別々の部屋にあってもそれらの部屋の照度変化次第では同じグループに属すると判定されることがある。
【０００９】
本発明は、このような問題を解決するためになされたものであり、同じロケーションにある複数のモニタを精度良くグルーピングすることができる管理装置、管理システム、管理方法及び管理プログラムを提供することを目的とする。
【課題を解決するための手段】
【００１０】
本発明は、複数のモニタが接続され、複数のモニタの情報を管理する管理装置であって、第１モニタの画面を所定の点滅パターンで点滅させる信号を送信し、第２モニタに対応する照度センサが点滅パターンを検出したことを示す信号を受信したときに、第１モニタと第２モニタとを同一グループに設定する、管理装置を提供する。
【００１１】
また、本発明は、複数のモニタの情報を管理する管理方法であって、第１モニタの画面を所定の点滅パターンで点滅させる信号を送信するステップと、第２モニタに対応する照度センサが点滅パターンを検出したことを示す信号を受信したときに、第１モニタと第２モニタとを同一グループに設定するステップとを有する管理方法を提供する。
【００１２】
また、本発明は、複数のモニタの情報をコンピュータに管理させるための管理プログラムであって、コンピュータに、第１モニタの画面を所定の点滅パターンで点滅させる信号を送信する手順と、第２モニタに対応する照度センサが点滅パターンを検出したことを示す信号を受信したときに、第１モニタと第２モニタとを同一グループに設定する手順とを実行させる管理プログラムを提供する。
【発明の効果】
【００１３】
本発明により、同じロケーションにある複数のモニタを精度良くグルーピングする管理装置、管理システム、管理方法及び管理プログラムを提供することができる。
【図面の簡単な説明】
【００１４】
【図１】実施の形態に係る管理システム１の概略構成を示す図である。
【図２】実施の形態に係る管理方法の処理手順を示すシーケンス図である。
【図３】実施の形態に係る管理方法の第１具体例を説明するための図である。
【図４】実施の形態に係る管理方法の第２具体例を説明するための図である。
【図５】実施の形態に係る管理方法の第３具体例を説明するための図である。
【発明を実施するための形態】
【００１５】
以下、図面を参照して本実施の形態に係る管理装置及び管理方法について説明する。
まずは、本実施の形態に係る管理装置を備える管理システムの構成について説明する。
図１は、本実施の形態に係る管理システム１の概略構成を示す図である。
【００１６】
管理システム１は、例えば、病院内の読影室に設置されたシステムであり、管理装置１０、モニタＡ、モニタＢなどを備える。モニタの数は２に限定されない。また、管理装置１０とモニタＡ、Ｂとは読影端末（図示せず）などを介して、また、有線、無線などのネットワークを介して接続されている。
【００１７】
管理装置１０は、例えば、サーバーであって、その管理ソフトウェアによって、各モニタの稼働状況、精度管理情報などを一元的に管理し、また、管理ソフトウェアの操作により、各モニタに対して(キャリブレーションなどの)精度管理タスクをリモート実行する。一般に、病院のモニタ精度管理業務の都合上、リモートタスクの実行は、モニタ設置場所単位で行われることが多い。
【００１８】
また、管理装置１０は、例えば、モニタＡにその画面を所定の点滅パターンで点滅させる信号を送信するとともに、モニタＢからその照度センサが当該点滅パターンを検出したことを示す信号を受信する。そして、管理装置１０は当該信号を受信したときに、モニタＡとモニタＢとを同一グループに設定する。
【００１９】
なお、本明細書では、例えば、同じ部屋の中にある複数のモニタ、パーティションで仕切られた区画内にある複数のモニタなど、所定の領域内にある、すなわち、同じロケーションにある複数のモニタのことを「同一グループ」に属するモニタとして定義する。この所定の領域は、屋内であっても良いし、屋外であっても良い。
【００２０】
モニタＡ、モニタＢは、例えば、医用モニタであり、それぞれが、画像を表示する画面と周囲光の明るさを検出する照度センサとを備えている。医用モニタは、精度管理のためのクライアントソフトウェアと組み合わせて使用されることが多く、ここでも、クライアントソフトウェアから、モニタＡ、Ｂを操作することが可能な仕組みが備わっている。
【００２１】
なお、モニタＡ、モニタＢでは、画面を点滅させること及び照度を検出することをモニタに内蔵されたファームウェア単体で実行しても良いし、モニタに接続されたＰＣの制御とモニタのファームウェアとの組み合わせで実行しても良い。
また、モニタＡ、モニタＢにはそれぞれ識別子（ＩＤ）が付与されており、当該ＩＤは管理装置によって管理されている。
【００２２】
そして、上記のような構成によって、本実施の形態に係る管理装置１０又は管理システム１は、同じロケーションにある複数のモニタを精度良くグルーピングすることができる。
【００２３】
なお、管理装置１０が実現する各構成要素は、例えば、コンピュータである管理装置１０が備える演算装置（図示せず）の制御によって、プログラムを実行することによって実現できる。より具体的には、管理装置１０は、記憶部（図示せず）に格納したプログラムを主記憶装置（図示せず）にロードし、演算装置の制御によってプログラムを実行して実現する。
【００２４】
また、各構成要素は、プログラムによるソフトウェアで実現することに限ることなく、ハードウェア、ファームウェア及びソフトウェアのうちのいずれかの組み合わせなどにより実現しても良い。
上述したプログラムは、様々なタイプの非一時的なコンピュータ可読媒体（non-transitory computer readable medium）を用いて格納され、管理装置１０に供給することができる。非一時的なコンピュータ可読媒体は、様々なタイプの実体のある記録媒体（tangible storage medium）を含む。
【００２５】
非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００２６】
また、プログラムは、様々なタイプの一時的なコンピュータ可読媒体（transitory computer readable medium）によって管理装置１０に供給されても良い。一時的なコンピュータ可読媒体の例は、電気信号、光信号及び電磁波を含む。一時的なコンピュータ可読媒体は、電線及び光ファイバなどの有線通信路、又は、無線通信路を介して、プログラムを管理装置１０に供給できる。
【００２７】
次に、本実施の形態に係る管理装置１０又は管理システム１の動作、すなわち、管理方法について説明する。
図２は、本実施の形態に係る管理方法の処理手順を示すシーケンス図である。
【００２８】
ここでは、病院の読影室に複数の医用モニタを導入し、それらを自動で効率的にグルーピングする場合について説明する。
まず、病院の読影室にモニタＡ、モニタＢを含む複数のモニタを導入し、それぞれを読影端末などのパーソナルコンピュータ（ＰＣ）に接続する（ステップＳ１０）。
【００２９】
次に、ＰＣにインストールされたクライアントソフトウェアを通じて、個々のモニタ情報を、サーバー１０の管理ソフトウェアに登録し、一元管理可能な状態とする（ステップＳ２０）。この時点では、読影室内のモニタが個別に管理ソフトウェアに登録されているのみで、モニタの設置場所毎のグルーピングはなされていない。
【００３０】
以降、モニタの設置場所の自動グルーピングを実行する。必要であれば、モニタが導入された読影室の照明を消しても良い。
サーバー１０の管理ソフトウェア上で、特定の１台のモニタ、ここでは、モニタＡに対して、「設置場所グルーピング検出コマンド」を発行する（ステップＳ３０）。
【００３１】
「設置場所グルーピング検出コマンド」を受信したモニタＡは、ファームウェア制御により、モニタ画面を定められた点滅パターン（例えば、点灯４秒、消灯２秒、点灯３秒、消灯４秒、・・・）で点滅させる（ステップＳ４０）。定められた点滅パターンは、規則性を有していたり、変調をかけられたりして、一般には存在しないような点滅パターンであることが好ましい。
【００３２】
このとき、モニタＢを含む他のモニタのファームウェアは、内蔵の照度センサを使用して周囲光の明るさの変化を継続的に測定する。そして、例えば、モニタＢが、上記の定められた点滅パターンによる照度変化を検知した（ステップＳ５０）ときは、「Acknowledge」を自身のＩＤと共にサーバー１０の管理ソフトウェアに返信する（ステップＳ６０）。
【００３３】
「Acknowledge」を受信したサーバー１０の管理ソフトウェアは、「設置場所グルーピング検出コマンド」を送信したモニタＡと、「Acknowledge」を返信したモニタＢとが同一の場所にある、すなわち、同一グループに属すると判断して、両者を、例えば、そのＩＤなどを用いて同一グループにグルーピングする（ステップＳ７０）。
【００３４】
そして、上記のステップＳ４０〜ステップＳ７０を繰り返して全てのモニタに対して「設置場所グルーピング検出コマンド」をそれぞれ発行してグルーピングする。
このような手順により、本実施の形態に係る管理方法は、同一の場所にあるモニタ同士を自動で効率的に、そして、精度良くグルーピングすることができる。
【００３５】
次に、本実施の形態に係る管理方法の具体例について、いくつか説明する。
（第１具体例）
図３は、本実施の形態に係る管理方法の第１具体例を説明するための図である。第１具体例は、上記したものと同様に、グルーピングの対象となる全てのモニタを順番に点滅させてグルーピングするものである。
【００３６】
Ｌ字形の読影室内には７台のモニタＡ、Ｂ、Ｃ、Ｄ、Ｅ、Ｆ、Ｇが設置されており、これらのモニタは既に読影端末など（図示せず）を介してサーバー（図示せず）に接続されている。
まず、図３（ａ）に示すように、サーバーがモニタＡの画面を点滅させ、モニタＢ、Ｃの照度センサが当該点滅による照度変化を検知したときに、サーバーはモニタＡ、Ｂ、Ｃをグルーピングする。
【００３７】
次に、図３（ｂ）に示すように、サーバーがモニタＢの画面を点滅させ、モニタＡ、Ｃ、Ｄの照度センサが照度変化を検知したときに、サーバーはモニタＡ、Ｂ、Ｃ、Ｄをグルーピングする。
次に、図３（ｃ）に示すように、サーバーがモニタＣの画面を点滅させ、モニタＡ、Ｂ、Ｄ、Ｅの照度センサが照度変化を検知したときに、サーバーはモニタＡ、Ｂ、Ｃ、Ｄ、Ｅをグルーピングする。
【００３８】
同様に、サーバーがモニタＤの画面を点滅させ、モニタＢ、Ｃ、Ｅ、Ｆの照度センサが照度変化を検知したときに、サーバーはモニタＢ、Ｃ、Ｄ、Ｅ、Ｆと、モニタＢ、Ｃ、Ｄ、Ｅと既にグルーピングされているモニタＡとをグルーピングする。
また、サーバーがモニタＥの画面を点滅させ、モニタＣ、Ｄ、Ｇの照度センサが照度変化を検知したときに、サーバーはモニタＣ、Ｄ、Ｅ、Ｇと、モニタＣ、Ｄ、Ｅと既にグルーピングされているモニタＡ、Ｂ、Ｆとをグルーピングする。
【００３９】
また、サーバーがモニタＦの画面を点滅させ、モニタＤ、Ｇの照度センサが照度変化を検知したときに、サーバーはモニタＤ、Ｆ、Ｇと、モニタＤ、Ｆ、Ｇと既にグルーピングされているモニタＡ、Ｂ、Ｃ、Ｅとをグルーピングする。
また、サーバーがモニタＧの画面を点滅させ、モニタＥ、Ｆの照度センサが照度変化を検知したときに、サーバーはモニタＥ、Ｆ、Ｇと、モニタＥ、Ｆ、Ｇと既にグルーピングされているモニタＡ、Ｂ、Ｃ、Ｄとをグルーピングする。
【００４０】
このように、管理方法の第１具体例では、グルーピングの対象となる全てのモニタを順番に点滅させることにより、同一の場所にあるモニタ同士を精度良くグルーピングすることができる。
【００４１】
（第２具体例）
図４は、本実施の形態に係る管理方法の第２具体例を説明するための図である。第２具体例は、１つのモニタを点滅させてグルーピングし、次に、グルーピングされていないモニタを点滅させて改めてグルーピングするものである。
【００４２】
Ｌ字形の読影室内にはやはり７台のモニタが設置されており、これらのモニタも既に読影端末などを介してサーバーに接続されている。
まず、図４（ａ）に示すように、サーバーがモニタＡの画面を点滅させ、モニタＢ、Ｃの照度センサが当該点滅による照度変化を検知したときに、サーバーはモニタＡ、Ｂ、Ｃをグルーピングする。
【００４３】
次に、図４（ｂ）に示すように、サーバーが図４（ａ）に示す状態でグルーピングされていないモニタＤの画面を点滅させ、モニタＢ、Ｃ、Ｅ、Ｆの照度センサが照度変化を検知したときに、サーバーはモニタＢ、Ｃ、Ｄ、Ｅ、Ｆと、モニタＢ、Ｃと既にグルーピングされているモニタＡとをグルーピングする。このとき、照度変化を検出したモニタＢ、Ｃ、Ｅ、Ｆの中に既にグルーピングされているモニタＢ、Ｃが含まれていることから、サーバーは点灯したモニタＤと照度変化を検出したモニタＥ、Ｆとを既に設定されているグループにグルーピングする。
【００４４】
次に、図４（ｃ）に示すように、図４（ｂ）に示す状態でグルーピングされていないモニタＧの画面を点滅させ、モニタＥ、Ｆの照度センサが照度変化を検知したときに、サーバーはモニタＥ、Ｆ、Ｇと、モニタＥ、Ｆと既にグルーピングされているモニタＡ、Ｂ、Ｃ、Ｄとをグルーピングする。
このように、管理方法の第２具体例では、グルーピングの対象となるモニタを３回点滅させるだけで、同一の場所にあるモニタ同士を効率的に精度良くグルーピングすることができる。
【００４５】
（第３具体例）
図５は、本実施の形態に係る管理方法の第３具体例を説明するための図である。第３具体例は、１つのモニタを点滅させてグルーピングし、当該グルーピングされたモニタを同時に点滅させて改めてグルーピングするものである。
【００４６】
Ｌ字形の読影室内にはやはり７台のモニタが設置されており、これらのモニタも既に読影端末などを介してサーバーに接続されている。
まず、図５（ａ）に示すように、サーバーがモニタＡの画面を点滅させ、モニタＢ、Ｃの照度センサが当該点滅による照度変化を検知したときに、サーバーはモニタＡ、Ｂ、Ｃをグルーピングする。
【００４７】
次に、図５（ｂ）に示すように、図５（ａ）に示す状態でグルーピングされたモニタＡ、Ｂ、Ｃの画面を同時に点滅させ、モニタＤ、Ｅの照度センサが照度変化を検知したときに、サーバーはモニタＡ、Ｂ、Ｃ、Ｄ、Ｅをグルーピングする。
【００４８】
次に、図５（ｃ）に示すように、図５（ｂ）に示す状態でグルーピングされたモニタＡ、Ｂ、Ｃ、Ｄ、Ｅの画面を同時に点滅させ、モニタＦ、Ｇの照度センサが照度変化を検知したときに、サーバーはモニタＡ、Ｂ、Ｃ、Ｄ、Ｅ、Ｆ、Ｇをグルーピングする。
このように、管理方法の第３具体例では、グルーピングの対象となるモニタをやはり３回点滅させるだけで、同一の場所にあるモニタ同士を効率的に精度良くグルーピングすることができる。
【００４９】
なお、本実施の形態に係る管理装置１０、管理システム１又は管理方法では、いろいろな追加、修正又は変更が可能である。
例えば、画面の点滅により周囲光を変化させ、これを照度センサで検知するときは、点滅する画面の輝度が高い方が、より遠くのモニタに輝度変化を検知させる上で有利である。一般に、医用モニタは、モニタのファームウェアによる制御、又は、対応するクライアントソフトウェアの制御により、画面のバックライトレベル（輝度レベル）を変化させる機能を有している。
【００５０】
そこで、本実施の形態に係る管理システム１又は管理方法では、以下のように制御を行うこともできる。
１）各モニタは、その画像を点滅させる前、すなわち、通常のモニタ使用時に、現在の画面のバックライトレベルを記憶する。
２）モニタが「設置場所グルーピング検出コマンド」を受信して画面の点滅を開始するときに、画面のバックライトを制御し、表示スペックの最大にまでバックライトレベルを上げる。
３）モニタが画面を点滅させ、サーバーがグルーピングを行う。
４）グルーピング終了後、モニタはその画面のバックライトレベルを記憶しておいたレベルに戻す。
このような制御により、設置場所グルーピング検出動作の検知感度を向上させることができる。
【００５１】
また、本実施の形態に係る管理システム１又は管理方法では、管理装置１０にサーバーを用いたが、管理装置１０に代えてクラウドサービスを用いても良い。
また、本実施の形態に係る管理システム１又は管理方法では、医用モニタをグルーピングの対象としたが、通常のモニタに照度センサを一時的に外付けしてグルーピングの対象としても良い。
【符号の説明】
【００５２】
１    管理システム
１０    管理装置（サーバー）
Ａ、Ｂ、Ｃ、Ｄ、Ｅ、Ｆ、Ｇ    モニタ
【図１】
2020120312.tif 000003
【図２】
2020120312.tif 000004
【図３】
2020120312.tif 000005
【図４】
2020120312.tif 000006
【図５】
2020120312.tif 000007